(57)【特許請求の範囲】
【請求項１】
収納部等の開口部を開閉する扉の開閉装置であって、開口部上辺側に上枠を取り付け、扉本体の一端部を開口部周辺所要部に枢支連結すると共に、扉本体上端面の一端部には扉の内側へ突出するアームを有する取付金具を取り付け、前記上枠内にはその一端部側寄りの位置に第１ブロック、これより離間した所定位置に第２ブロックを夫々固定し、第１，第２の両ブロック間にスライダーをスライド自在に設け、スライダーと第２ブロックとの間に圧縮バネを介装し、スライダーと第１ブロックとの間には前記バネの圧縮力よりも弱い圧力のショックアブソーバーを介装すると共に、スライダーと前記アームの先端部とを連杆により枢支連結して、扉を全閉位置から全開角度の略１／２開いた時に扉本体一端部の枢支部と連杆の両端枢支部とが平面視で一直線状に位置して前記バネが最大圧縮されるように構成してなる扉の開閉装置。
【請求項２】
扉本体一端部の枢支部と連杆の両端枢支部とが平面視で一直線状に位置する時の扉の開き角度が略４５度である請求項１に記載の扉の開閉装置。
【発明の詳細な説明】
【技術分野】
【０００１】
本発明は、家具やクローゼット等収納部の開口部を開閉したり、部屋の入口開口部を開閉する扉の開閉装置に関する。尚、扉は片開き、両開きの何れでもよい。
【背景技術】
【０００２】
従来の扉開閉装置として、特許公報等の公知文献を具体的に挙げることはできないが、例えばクローゼットの開口部を開閉する扉にあっては、扉本体の一端部を開口部周枠の縦枠部に旗蝶番やスライド蝶番によって枢着したものが一般的であり、旗蝶番による場合にはマグネットキャッチが付設されることが多く、またスライド蝶番の場合はバネ付きのものもある。
【発明の開示】
【発明が解決しようとする課題】
【０００３】
旗蝶番による扉の開閉装置の場合、扉を閉める時には扉が閉まりきるところまで手を添え、マグネットキャッチに固定されたことを確認しなければならない。また、バネ付きのスライド蝶番による扉の開閉装置では、扉が閉まった状態を維持するために、バネで扉を開口部周枠側に引き付けておく必要があり、自動的に閉まるとはいえ、閉まる瞬間の衝撃が激しく、しかもそのような閉止時の激しい衝撃による振動の繰り返しで調整ネジがずれてることがよくある。
【０００４】
本発明は、上記のような課題に鑑み、扉の開閉操作が容易であると共に、閉止時の衝撃を緩和し、静かに閉止することのできる扉の開閉装置を提供することを目的とする。
【課題を解決するための手段】
【０００５】
上記課題を解決するための手段を、後述する実施形態の参照符号を付して説明すると、請求項１に係る発明の扉の開閉装置は、収納部等の開口部Ｏを開閉する扉１の開閉装置であって、開口部Ｏ上辺側に上枠４を取り付け、扉本体２の一端部を開口部Ｏ周辺所要部に枢支連結すると共に、扉本体２上端面の一端部には扉１の内側へ突出するアーム６を有する取付金具７を取り付け、前記上枠４内にはその一端部側寄りの位置に第１ブロックＢ１、これより離間した所定位置に第２ブロックＢ２を夫々固定し、第１，第２の両ブロックＢ１，Ｂ２間にスライダー８をスライド自在に設け、スライダー８と第２ブロックＢ２との間に圧縮バネ９を介装し、スライダー８と第１ブロックＢ１との間には前記バネ９の圧縮力よりも弱い圧力のショックアブソーバー１０を介装すると共に、スライダー８と前記アーム６の先端部とを連杆１１により枢支連結して、扉１を全閉位置から全開角度の略１／２開いた時に扉本体２一端部の枢支部１４と連杆１１の両端枢支部１２，１３とが平面視で一直線状に位置して前記バネ９が最大圧縮されるように構成してなることを特徴とする。
【０００６】
請求項２は、請求項１に記載の扉の開閉装置において、扉本体２一端部の枢支部１４と連杆１１の両端枢支部１２，１３とが平面視で一直線状に位置する時の扉１の開き角度が略４５度であることを特徴とする。
【発明の効果】
【０００７】
上記解決手段による発明の効果を、後述する実施形態の参照符号を付して説明すると、請求項１に係る発明によれば、扉が全閉位置から全開角度の略１／２開いた状態を基準として、その基準角度開放位置から、閉まる方向にあるいは更に開く方向に夫々ある程度手を添えるようにすれば、閉まる方向には、そのまま全閉位置までゆっくりと回動して衝撃なく静かに閉まりきることができ、また更に開く方向には、そのまま開放回動して全開角度まで開ききって停止することができる。
【０００８】
請求項２に係る発明によれば、扉本体２の枢支部１４と連杆１１の両端枢支部１２，１３とが一直線状に位置する時の扉１の開き角度を略４５度に設定することによって、扉１の開閉操作時に手を添える範囲が狭くなり、操作が簡単容易になると共に、扉開閉装置の構造を小型化且つコンパクト化することができる。
【発明を実施するための最良の形態】
【０００９】
以下に本発明の好適な実施形態を図面に基づいて説明すると、先ず、図１の(a) は収納部の開口部を開閉する両開きタイプの扉を扉の外から見た正面図、(b) は(a) のＸ−Ｘ線断面図であり、図２は図１の(a) のＹ−Ｙ線断面図である。図３は扉の開閉装置を扉の外から見た拡大正面図であり、図４の(a) は扉が閉まりきった状態における開閉装置の平面図、(b) は扉が４５度開いた状態における開閉装置の平面図であり、図５は扉の開閉装置の要部拡大分解斜視図である。
【００１０】
これらの図面において、１は収納部Ｓの開口部Ｏを開閉する左右一対の両開き式扉で、各扉１は以下に説明する開閉装置によって開閉されるようになっている。各扉１は、扉本体２と、この扉本体２の開閉端部（遊端部）に取り付けられた手掛かり枠３とからなる。収納部Ｓの開口部Ｏには、上枠部５ａと左右側枠５ｂ，５ｂとからなる開口枠５が取り付けられ、その上辺框部５ａの裏側段部（図２参照）に上枠４が取り付けられている。
【００１１】
扉１の開閉装置は、扉本体２の一端部を開口部Ｏの上枠４と床面Ｆ側とに枢支連結すると共に、扉本体２の上端面の一端部には、扉１の内側へ突出するアーム６を有する取付金具７を取り付け、前記上枠４内にはその一端部側寄りの位置に第１ブロックＢ１、これより離間した所定位置に第２ブロックＢ２を夫々固定し、第１，第２の両ブロックＢ１，Ｂ２間にスライダー８をスライド自在に設け、スライダー８と第２ブロックＢ２との間に圧縮コイルバネ９を介装し、スライダー８と第１ブロックＢ１との間には前記バネ９の圧縮力よりも弱い圧力のショックアブソーバー１０を介装すると共に、スライダー８と前記アーム６の先端部とを連杆１１により枢支連結して、扉１を図４の(a) に示す全閉位置から４５度開いた時に扉本体２一端部の枢支軸１４と連杆１１の両端枢支軸１２，１３とが図４の(b) に示すように平面視で一直線状に位置して前記バネ９が最大圧縮されるように構成したものである。
【００１２】
上記開閉装置の構造について更に詳しく説明すると、上枠４は、図２及び図５から分かるように、リップ付き溝形材からなるもので、そのリップ４ａ，４ａと溝部４ｏを下向きにした位置させた状態で開口枠５の上辺框部５ａにビスａ止めされている。扉本体２の一端部、つまり手掛かり枠３の取り付けられた端部と反対側の端部である枢着部側端部は、図５に示すように、扉本体２の上端面に取り付けられた取付金具７から上向きに突出する枢支軸１４を、上枠４の一端部に取り付けられた取付板１５の軸受孔１６に嵌合させると共に、この枢支軸１４と同軸線上にあって扉本体２の下端面から突出する枢支軸１７を、床面Ｆにビスａ止めされたブラケット２１に設けてある軸受部材１８に嵌合させることによって、開口部Ｏの上枠４と床面Ｆ側とに枢支連結している。
【００１３】
尚、扉本体２の上側の枢支軸１４は、図２に示すように、コイルバネ１９によって常時扉本体２の上端面から突出するように取り付けられており、下側の枢支軸１７は固定的なものであり、しかして扉１の取り付けにあたっては、下側の枢支軸１７を床面Ｆに取り付けてあるブラケット２１の軸受部材１８に嵌合させた後、上側の枢支軸１４をコイルバネ１９に抗して扉本体２内に押し込んだ状態から、この枢支軸１４を上枠４側の軸受孔１６に嵌合させるようになっている。
【００１４】
図３及び図４に示すように、第１ブロックＢ１、第２ブロックＢ２及びスライダー８は夫々上枠４内に嵌挿可能な角筒状体からなるもので、第１ブロックＢ１及び第２ブロックＢ２は夫々上枠４内に嵌挿されて所定位置にボルトｂにより固定され、スライダー８は、両ブロックＢ１，Ｂ２間にスライド自在に嵌挿されている。そして、第２ブロックＢ２とスライダー８との間に介在する圧縮コイルバネ９は、第２ブロックＢ２とスライダー８との対向端部から夫々一体に突設された突条片２２，２３に亘って嵌装されている。
【００１５】
第１ブロックＢ１とスライダー８との間に介在するショックアブソーバー１０は、この実施形態では、市販されている流体圧利用のオイルダンパーからなるもので、第２ブロックＢ２とスライダー８との間に介在する圧縮コイルバネ９よりも小さい圧力が作用するようになっている。尚、このような流体圧利用のオイルダンパーに代えて、前記圧縮コイルバネ９よりバネ圧の弱いコイルバネを使用することもできる。
【００１６】
また、連杆１１は、図５から分かるように、例えばステンレスの丸棒からなるもので、一端部が下向き直角に折曲されて枢支軸１２を形成し、他端部が上向き直角に折曲されて枢支軸１３を形成をしており、その一端部の枢支軸１２は、扉本体２に取り付けられた取付金具７から内側へ突出するアーム６の先端部の軸受孔６ａに回転自在に嵌合され、他端部の枢支軸１３は、スライダー８の軸受孔８ａに回転自在に嵌合されるようになっている。
【００１７】
図４の(a) は扉１が閉まりきった状態（全閉状態）の開閉装置を平面図で示すもので、この状態では、扉本体２に固定の取付金具７に突設されたアーム６が上枠４の内側（収納部Ｓ側）に突出し、このアーム６の先端部に一端側枢支軸１２を枢支された連杆１１の一端側が上枠４の内側へ食み出して、扉本体２の枢支軸１４と連杆１１両端部の枢支軸１２，１３とが三角形を形成し、圧縮コイルバネ９の反発力でスライダー８が第１ブロックＢ１側に押し付けられることによって、扉本体２には連杆１１及びアーム６を介して扉１を収納部Ｓの開口部Ｏを閉じる方向の引き付け力が作用し、それによって扉１は、開口部Ｏを完全に閉じた状態、即ち閉まりきった状態に保持される。尚、図４の(a) ，(b) では、図面が複雑化するために上枠４の図示を省略している。
【００１８】
図４の(a) に示すように扉１が閉まりきった全閉位置に保持されている状態から、扉１の遊端部にある手掛かり枠３に手を添えて、扉１を収納部Ｓの外側へ引っ張ると、扉１は上下の枢支軸１４，１７を中心に開放回動し、これに伴って取付金具７のアーム６の先端部側が上枠４に近づくように回転し、このアーム６の回転により連杆１１を介してスライダー８が圧縮コイルバネ９を圧縮する方向にスライドする。
【００１９】
しかして、扉１を、図４の(b) の実線図示のように全閉位置から４５度まで開けると、取付金具７のアーム６が上枠４（図５参照）と平行に重なり合い、扉本体２の枢支部１４と連杆１１の両端枢支部１２，１３とが平面視で一直線状に位置して、圧縮コイルバネ９が最大圧縮された状態となり、扉１は、開方向にも閉方向にも回動しない中立の状態となる。この時、スライダー８は、第１ブロックＢ１と第２ブロックＢ２との中間に位置している。
【００２０】
扉１が全閉位置から４５度開放した中立状態を基準として、この中立状態から、手掛かり枠３に手を添えて、扉１を更に外側へ引くと、取付金具７のアーム６が上枠４の外側に突出し、このアーム６の先端部に枢支連結された連杆１１の一端側が上枠４の外側へ食み出して、扉本体２の枢支軸１４と連杆１１両端部の枢支軸１２，１３とが上枠４の外側で三角形を形成し、第１，第２ブロックＢ１，Ｂ２の中間にあったスライダー８が、圧縮コイルバネ９の付勢力により第１ブロックＢ１側へスライドして、扉１が９０度開放位置まで回動される（図４の(b) の仮想線図示参照）。
【００２１】
この時、ショックアブソーバー１０が設けられていなければ、スライダー８が圧縮コイルバネ９の付勢力により第１ブロックＢ１側へ急速に押されて、扉１が開方向へ急速に開くことになるが、この発明の開閉装置では第１ブロックＢ１とスライダー８との間にショックアブソーバー１０が設けてあるため、扉１が４５度開放した位置から更に開放する際にスライダー８が第１ブロックＢ１側に向かってスライドする時には、ショックアブソーバー１０の緩衝作用によってスライド速度が落とされ、それにより扉１はゆっくりとした速度で図４の(b) の仮想線図示の９０度開放位置、即ち、開ききった位置（全開位置）まで静かに自動的に回動開放する。この扉１は、９０度まで開くと、図４の(a) に示す全閉位置の状態と同じように、スライダー８が第１ブロックＢ１に当たって、扉１のそれ以上の開放回動が阻止される。
【００２２】
また、扉１を全開位置から閉じる時は、手掛かり枠３に手を添えて扉１を、４５度開放位置を若干越えた位置まで押してやると、取付金具７のアーム６が上枠４の内側に突出し、このアーム６の先端部に枢支連結された連杆１１の一端側が上枠４の内側へ食み出して、扉本体２の枢支軸１４と連杆１１両端部の枢支軸１２，１３とが上枠４の内側で三角形を形成し、それによりスライダー８が圧縮コイルバネ９の付勢力で第１ブロックＢ１側へスライドして、扉１を全閉位置まで回動させる。この際、スライダー８が第１ブロックＢ１側に向かってスライドする時に、ショックアブソーバー１０の緩衝作用によってスライダー８のスライド速度が落とされ、それにより扉１は全閉位置までゆっくりと静かに回動して、閉まりきった位置に自動的に停止する。
【００２３】
尚、圧縮コイルバネ９のバネ圧は、角筒状体からなる第２ブロックＢ２のビスｂによる取付位置を変更することによって、適宜に変更調整することができる。
【００２４】
この実施形態では、扉１が全閉位置から４５度開いた時に扉本体２の枢支部１４と連杆１１の両端枢支部１２，１３とが一直線状に位置して圧縮コイルバネ９が最大圧縮されるように構成すると共に、扉１が９０度開くと、スライダー８が第１ブロックＢ１に当たって、扉１のそれ以上の回動を阻止するように構成しているが、扉本体２の枢支部１４と連杆１１の両端枢支部１２，１３とが一直線状に位置して圧縮コイルバネ９が最大圧縮される時の扉１の角度は、４５度に限らず、５０度や６０度であってもよいが、何れにしても扉１の全開角度の１／２とする。
【００２５】
但し、この発明の扉開閉装置の構成からは、扉１を１８０度あるいはそれに近い角度に全開させることはできず、また扉１の全開角度を９０度以上にすると、扉１の開閉操作時に手を添える範囲が広くなって、操作が面倒になると共に、スライダー８のストロークを長くとる必要があり、そのため扉開閉装置の構造が大型化することになるが、扉１は全開角度は９０度の場合が多く、また９０度の範囲で開閉させるようにすれば、扉１の役割を十分果たすことができることから、この実施形態のように、扉１の全開角度を９０度とし、扉本体２の枢支部１４と連杆１１の両端枢支部１２，１３とが一直線状に位置する時の扉１の角度を略４５度とするのが良く、そうすることによって扉開閉装置の構造を小型化且つコンパクト化できると共に、扉１の開閉操作時に手を添える範囲が狭くなり、操作が簡単容易となる。
【図面の簡単な説明】
【００２６】
【図１】(a) は収納部の開口部を開閉する両開きタイプの扉を扉の外から見た正面図、(b) は(a) のＸ−Ｘ線断面図である。
【図２】図１の(a) のＹ−Ｙ線断面図である。
【図３】扉の開閉装置を扉の外から見た拡大正面図である。
【図４】(a) は扉が閉まりきった状態における開閉装置の平面図、(b) は扉が４５度開いた状態における開閉装置の平面図である。
【図５】扉の開閉装置の要部拡大分解斜視図である。
【符号の説明】
【００２７】
Ｏ            収納部等の開口部
１            扉
２            扉本体
４            上枠
５            開口枠
６            アーム
７            取付金具
８            スライダー
９            圧縮コイルバネ
１０          ショックアブソーバー
１１          連杆
１２，１３    連杆の両端枢支部
１４          扉本体の一端部の枢支部
Ｂ１          第１ブロック
Ｂ２          第２ブロック
【図１】
0004616117.tif 000002
【図２】
0004616117.tif 000003
【図３】
0004616117.tif 000004
【図４】
0004616117.tif 000005
【図５】
0004616117.tif 000006